【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
印刷済みの用紙に対して紫外線を照射する紫外線照射手段と、
紫外線硬化型インキが装着された紫外線硬化型インキ用印刷ドラムと、非紫外線硬化型インキが装着された非紫外線硬化型インキ用印刷ドラムとを印刷装置本体に対して選択的に着脱可能とする着脱手段と、
前記着脱手段を介して前記印刷装置本体に装着された印刷ドラムが前記紫外線硬化型インキ用印刷ドラムまたは前記非紫外線硬化型インキ用印刷ドラムの何れであるかを検出する印刷ドラム検出手段と、
前記印刷ドラム検出手段により、前記紫外線硬化型インキ用印刷ドラムの装着が検出されたときには前記紫外線照射手段を動作させ、前記非紫外線硬化型インキ用印刷ドラムの装着が検出されたときには前記紫外線照射手段を不動作にさせる第１の制御手段と、
を有することを特徴とする印刷装置。
【請求項２】
印刷速度を設定する印刷速度設定手段と、
前記印刷ドラム検出手段により前記紫外線硬化型インキ用印刷ドラムの装着が検出されたときであって、前記印刷速度設定手段によって設定された設定印刷速度が前記紫外線照射手段による紫外線照射に対応して予め設定されている紫外線照射用印刷速度を超えているときには、警告報知の実行および／または前記紫外線照射用印刷速度に変更する第２の制御手段と、
を有することを特徴とする請求項１記載の印刷装置。
【請求項３】
前記紫外線が照射される印刷済みの用紙を搬送する用紙搬送手段と、
前記用紙搬送手段を駆動する用紙搬送駆動手段と、
前記印刷ドラム検出手段により前記紫外線硬化型インキ用印刷ドラムの装着が検出されたときに、印刷速度情報および用紙の搬送方向サイズ情報に応じて前記用紙搬送手段の搬送速度に変更するように前記用紙搬送駆動手段を制御する第３の制御手段と、
を有することを特徴とする請求項１または２記載の印刷装置。
【請求項４】
前記印刷ドラム検出手段により前記紫外線硬化型インキ用印刷ドラムの装着が検出されたときに、用紙種類情報、画像種類情報および定着度合いの指示情報のうちの少なくとも一つの情報に応じて、印刷済みの用紙が受ける照射エネルギーを変更するように前記紫外線照射手段を制御する第４の制御手段を有することを特徴とする請求項１，２または３記載の印刷装置。
【請求項５】
前記着脱手段を介して前記印刷装置本体に装着された印刷ドラムのインキ色が黒色であるか否かを検出するインキ色検出手段と、
前記印刷ドラム検出手段により前記紫外線硬化型インキ用印刷ドラムの装着が検出され、かつ、前記インキ色検出手段により前記黒色の紫外線硬化型インキ用印刷ドラムの装着が検出されたときに、黒色以外のインキ色の際に印刷済みの用紙が受ける照射エネルギーよりも該照射エネルギーが大きくなるように前記紫外線照射手段を制御する第５の制御手段と、
を有することを特徴とする請求項１ないし４の何れか一つに記載の印刷装置。
【請求項６】
前記紫外線照射手段は、紫外線照射ランプの出力、複数の該紫外線照射ランプの発光する数および該紫外線照射ランプと印刷済みの用紙との間隔のうちの少なくとも一つを変更することによって、印刷済みの用紙が受ける照射エネルギーを変更するように構成したことを特徴とする請求項４または５記載の印刷装置。
【請求項７】
前記紫外線が照射される印刷済みの用紙を搬送する用紙搬送手段と、
前記用紙搬送手段を駆動する用紙搬送駆動手段と、
前記印刷ドラム検出手段により前記非紫外線硬化型インキ用印刷ドラムの装着が検出されたときであって、かつ、印刷指示がなされたときに、前記用紙搬送手段のみが駆動されるように前記用紙搬送駆動手段を制御する第６の制御手段と、
を有することを特徴とする請求項１ないし６の何れか一つに記載の印刷装置。
【請求項８】
前記紫外線照射手段は、印刷装置本体に対して着脱可能に構成されており、
前記紫外線照射手段が印刷装置本体に接続されているか否かを検出する接続検出手段と、
前記接続検出手段により前記紫外線照射手段の接続が検出されたときに、第１ないし第６の制御手段による制御のうちの少なくとも第１の制御手段による制御を実行させる第７の制御手段と、
を有することを特徴とする請求項１ないし７の何れか一つに記載の印刷装置。
【請求項９】
前記接続検出手段により前記紫外線照射手段の接続が検出されたときであって、かつ、前記印刷ドラム検出手段により前記非紫外線硬化型インキ用印刷ドラムの装着が検出されたときに、警告報知の実行をさせる第８の制御手段と、
を有することを特徴とする請求項８記載の印刷装置。
【請求項１０】
印刷装置と接続可能な紫外線照射装置において、
印刷済みの用紙に対して紫外線を照射する紫外線照射手段と、
前記紫外線が照射される印刷済みの用紙を搬送する用紙搬送手段と、
前記印刷装置から送られる、紫外線硬化型インキを有する紫外線硬化型インキ用印刷ドラムが装着されたことを示す信号に基づいて、前記紫外線照射手段を動作させ、前記印刷装置から送られる、非紫外線硬化型インキを有する非紫外線硬化型インキ用印刷ドラムが装着されたことを示す信号に基づいて、前記紫外線照射手段を不動作にさせる制御手段と、
を有することを特徴とする紫外線照射装置。
【手続補正２】
【補正対象書類名】明細書
【補正対象項目名】０００５
【補正方法】変更
【補正の内容】
【０００５】
そこで、本発明は、１台の孔版印刷装置でＵＶインキと非ＵＶインキとの印刷ドラムを使用でき、操作性に優れた孔版印刷装置を含む印刷装置および紫外線照射装置の提供を主な目的とする。その他、後述の効果・利点を得られる孔版印刷装置を含む印刷装置および紫外線照射装置の提供も目的としている。
【手続補正３】
【補正対象書類名】明細書
【補正対象項目名】００１５
【補正方法】変更
【補正の内容】
【００１５】
請求項１０記載の発明は、印刷装置と接続可能な紫外線照射装置において、印刷済みの用紙に対して紫外線を照射する紫外線照射手段と、前記紫外線が照射される印刷済みの用紙を搬送する用紙搬送手段と、前記印刷装置から送られる、紫外線硬化型インキを有する紫外線硬化型インキ用印刷ドラムが装着されたことを示す信号に基づいて、前記紫外線照射手段を動作させ、前記印刷装置から送られる、非紫外線硬化型インキを有する非紫外線硬化型インキ用印刷ドラムが装着されたことを示す信号に基づいて、前記紫外線照射手段を不動作にさせる制御手段とを有することを特徴とする。
【手続補正４】
【補正対象書類名】明細書
【補正対象項目名】００１６
【補正方法】変更
【補正の内容】
【００１６】
本発明によれば、上述したような従来の印刷装置の有する問題点および前記課題を解決して新規な印刷装置および紫外線照射装置を提供することができる。主な効果を挙げれば次のとおりである。
本発明によれば、第１の制御手段は、印刷ドラム検出手段により紫外線硬化型インキ用印刷ドラムの装着が検出されたときには紫外線照射手段を動作させ、非紫外線硬化型インキ用印刷ドラムの装着が検出されたときには紫外線照射手段を不動作にさせることにより、「紫外線硬化型インキ用印刷ドラム」と「非紫外線硬化型インキ用印刷ドラム」とを着脱交換した場合でも紫外線照射手段が適切に動作し、操作性を向上させることができる。従って、紫外線照射手段による紫外線照射によって紫外線硬化型インキで印刷された印刷済みの用紙（印刷物）の乾燥向上を狙いながらも、誤って非紫外線硬化型インキ用印刷ドラムを装着したまま紫外線照射手段により紫外線照射を行うといったことを防止することができる（請求項１）。